(57)【要約】  【課題】  窓又は扉が閉まっていない初期状態から、窓又はドアが移動したことを検出可能とすることで、侵入者を検知することができる防犯センサ、及びこれを備えた防犯機能付インターホン装置を提供すること。  【解決手段】  窓枠と窓又はドア枠とドアに分離配置された２つのセンサ部によって、該２つのセンサ部間の距離が変化したことを検出して異常発報する防犯センサであって、前記窓又はドアが閉まっていない状態を初期状態として、前記２つのセンサ部間の距離が前記初期状態から変化したことを検出可能な距離変化検出手段と、該距離変化検出手段によって前記２つのセンサ部間の距離が前記初期状態から変化したことが検出されたときに、異常発報信号を出力する異常発報信号出力手段とを備えた。また、防犯機能付インターホン装置に前記の防犯センサを備えた。  【選択図】  図２
2006285379.tif 000002
【特許請求の範囲】
【請求項１】
窓枠と窓又はドア枠とドアに分離配置された２つのセンサ部によって、該２つのセンサ部間の距離が変化したことを検出して異常発報する防犯センサであって、
前記窓又はドアが閉まっていない状態を初期状態として、前記２つのセンサ部間の距離が前記初期状態から変化したことを検出可能な距離変化検出手段と、該距離変化検出手段によって前記２つのセンサ部間の距離が前記初期状態から変化したことが検出されたときに、異常発報信号を出力する異常発報信号出力手段とを備えたことを特徴とする防犯センサ。
【請求項２】
警戒設定要求を受けたときに、前記２つのセンサ部間の距離が、前記距離変化検出手段の検出可能距離範囲内にあるか否かを確認する確認手段を備えたことを特徴とする請求項１記載の防犯センサ。
【請求項３】
前記確認手段によって前記２つのセンサ部間の距離が前記距離変化検出手段の検出可能距離範囲内にあると確認されたときに警戒設定完了信号を出力し、また、前記確認手段によって前記２つのセンサ部間の距離が前記距離変化検出手段の検出可能距離範囲内にないと確認されたときに警戒設定未完了信号を出力する警戒設定完了／未完了出力手段とを備えたことを特徴とする請求項２記載の防犯センサ。
【請求項４】
請求項１〜３記載の防犯センサに接続された防犯機能付インターホン装置であって、警戒設定入力手段からの警戒設定入力を受信して前記防犯センサに警戒設定要求を出力する警戒設定手段と、前記異常発報信号及び警戒設定完了／未完了信号を入力する信号入力手段とを備えることを特徴とする防犯機能付インターホン装置。
【発明の詳細な説明】
【技術分野】
【０００１】
本発明は防犯センサ及びこれを備えた防犯機能付インターホン装置に関する。
【背景技術】
【０００２】
従来、住戸インターホンシステムとしては、住戸内に設置されたインターホン親機と戸外に設置されたドアホン子機との間で単にインターホン通話を行うのみならず、住戸の窓やドアに防犯センサを配置して、防犯センサの状態をインターホン親機が監視できるようにした防犯機能付きのものがある。防犯センサとしては、窓枠又はドア枠にリードスイッチを配置する一方、窓又はドアに磁石を配置するようにして、窓やドアが戸締りされているとリードスイッチが磁石により閉じ、窓やドアが開放されているとリードスイッチが開く構成のものが一般的である。
【０００３】
このインターホン親機は、外出する際に窓やドアを完全に閉めてから、防犯セットスイッチが操作されると防犯モードに警戒設定される。そしてこの状態で、侵入者によって窓やドアが開くと防犯センサから異常発報信号が出力され、この入力によって、内部音響やドアホン子機から警報音を鳴らしたり、管理会社に移報出力するなどの異常報知を行う（例えば、特許文献１参照）。
【特許文献１】特開平１０−０１３９６７号公報
【発明の開示】
【発明が解決しようとする課題】
【０００４】
従来の防犯センサは、窓やドアが閉じた状態と開いた状態とで異なる信号を出力して侵入者を検知するものであるため、防犯モードに警戒設定する際には、窓やドアを完全に閉める必要があった。そのため、例えば、ペットの在室により住戸内を換気したいなどの場合でも窓又はドアを開けた状態とすることができなかった。また、防犯センサが配置されていない格子付きの窓を開けるなどの対応も考えられるが、侵入者によって格子を取り外されて住戸内に侵入される恐れがあった。
【０００５】
本発明は、上記課題を解決するためになされたもので、窓又は扉が閉まっていない初期状態から、窓又はドアが移動したことを検出可能とすることで、侵入者を検知することができる防犯センサ、及びこれを用いることで、窓又は扉が閉まっていない初期状態でも防犯モードに警戒設定することができ、住戸内を換気しながら、侵入者を検知することができる防犯機能付インターホン装置を提供することを目的とする。
【課題を解決するための手段】
【０００６】
本発明は、窓枠と窓又はドア枠とドアに分離配置された２つのセンサ部によって、該２つのセンサ部間の距離が変化したことを検出して異常発報する防犯センサであって、前記窓又はドアが閉まっていない状態を初期状態として、前記２つのセンサ部間の距離が前記初期状態から変化したことを検出可能な距離変化検出手段と、該距離変化検出手段によって前記２つのセンサ部間の距離が前記初期状態から変化したことが検出されたときに、異常発報信号を出力する異常発報信号出力手段とを備えたことを特徴とする。
【０００７】
また本発明は、警戒設定要求を受けたときに、前記２つのセンサ部間の距離が、前記距離変化検出手段の検出可能距離範囲内にあるか否かを確認する確認手段を備えたことを特徴とする。
【０００８】
また本発明は、前記確認手段によって前記２つのセンサ部間の距離が前記距離変化検出手段の検出可能距離範囲内にあると確認されたときに警戒設定完了信号を出力し、また、前記確認手段によって前記２つのセンサ部間の距離が前記距離変化検出手段の検出可能距離範囲内にないと確認されたときに警戒設定未完了信号を出力する警戒設定完了／未完了出力手段とを備えたことを特徴とする。
【０００９】
また本発明は、前記した防犯センサに接続された防犯機能付インターホン装置であって、警戒設定入力手段からの警戒設定入力を受信して前記防犯センサに警戒設定要求を出力する警戒設定手段と、前記異常発報信号及び警戒設定完了／未完了信号を入力する信号入力手段とを備えることを特徴とする。
【発明の効果】
【００１０】
この発明は、窓枠と窓又はドア枠とドアに分離配置された２つのセンサ部によって、該２つのセンサ部間の距離が変化したことを検出して異常発報する防犯センサであって、前記窓又はドアが閉まっていない状態を初期状態として、前記２つのセンサ部間の距離が前記初期状態から変化したことを検出可能な距離変化検出手段と、該距離変化検出手段によって前記２つのセンサ部間の距離が前記初期状態から変化したことが検出されたときに、異常発報信号を出力する異常発報信号出力手段とを備えたので、窓又は扉が閉まっていない初期状態から、窓又はドアが移動したことを検出可能として、侵入者を検知することができる。
【００１１】
また、警戒設定要求を受けたときに、前記２つのセンサ部間の距離が前記距離変化検出手段の検出可能距離範囲内にあるか否かを確認する確認手段を備えたので、窓又はドアが移動したことを検出可能であるかを事前に確認することができる。
【００１２】
そして、前記確認手段によって前記２つのセンサ部間の距離が前記距離変化検出手段の検出可能距離範囲内にあると確認されたときに警戒設定完了信号を出力し、また、前記確認手段によって前記２つのセンサ部間の距離が前記距離変化検出手段の検出可能距離範囲内にないと確認されたときに警戒設定未完了信号を出力する警戒設定完了／未完了出力手段とを備えたので、無事に警戒設定されたか否かを報知することができる。
【００１３】
また、前記した防犯センサに接続された防犯機能付インターホン装置であって、警戒設定入力手段からの警戒設定入力を受信して前記防犯センサに警戒設定要求を出力する警戒設定手段と、前記異常発報信号及び警戒設定完了／未完了信号を入力する信号入力手段とを備えるので、窓又は扉が閉まっていない初期状態でも防犯モードに警戒設定することができ、住戸内を換気しながら、侵入者を検知することができる。さらに、住居人に無事に警戒設定されたか否かを報知でき、また、侵入者を検知したことを報知できる。
【発明を実施するための最良の形態】
【００１４】
図１は、本発明の一実施例である防犯機能付きインターホンシステムを示す図であり、図２は、図１の防犯機能付きインターホンシステムの概略ブロック図を示す図である。
【００１５】
図１において、４０は住戸内に配置されたインターホン親機、５０は戸外に配置されたインターホン子機であり、インターホン親機４０とインターホン子機５０とは、通話呼出線Ｌ１を介して、相互にインターホン通話を行えるように接続されている。Ｗは住戸内に設けられた窓であり、１は窓Ｗに配置された防犯センサである。防犯センサ１は、第１センサ部２と第２センサ部３とで構成され、窓Ｗ側に第２センサ部３、窓枠ＷＦ側に第１センサ部２が分離配置されている。そして、インターホン親機４０は、防犯機能を有するように防犯センサ１と信号線Ｌ２及び電源兼信号線Ｌ３を介して接続されている。なお、防犯センサ１は住戸内に設けられたドアに配置するようにしてもよく、その場合は、ドア側とドア枠側とに第２センサ部３と第１センサ部２とを分離配置する。
【００１６】
図２に示すインターホン親機４０において、４１は警戒設定入力手段としての防犯セットスイッチ、４２はインターホン親機全体を制御する制御部、４３は防犯センサ１の第１センサ部２と信号線Ｌ２を介して接続された送信部、４４は防犯センサ１の第１センサ部２と電源兼信号線Ｌ３を介して接続された受信部である。
【００１７】
また、４５は表示部、４６はマイクとスピーカを有する通話回路、４７はドアホン子機５０の通話回路５１に接続された通話呼出線Ｌ１を、通話回路４６又は呼出検出回路４８に選択的に接続する切換スイッチであり、常時は通話呼出線Ｌ１と呼出検出回路４８とを接続している。４８は呼出検出回路、４９は移報部である。
【００１８】
図２に示すドアホン子機５０において、５２は呼出ボタンであり、５１はマイクとスピーカを有する通話回路である。
【００１９】
インターホン子機５０の呼出ボタン５２が押されると、インターホン親機４０は、呼出検出回路４８がその呼出動作を検知して呼出検出信号を制御部４２に出力し、これにより制御部４２は、切換スイッチ４７に切換命令を出力する。この切換命令によって、切換スイッチ４７は通話呼出線Ｌ１と通話回路４６とを切換接続して、これにより、通話回路４６と通話回路５１とによって、インターホン親機４０とインターホン子機５０による相互間のインターホン通話を行うことができる。
【００２０】
図２に示す防犯センサ１において、２は第１センサ部であり、３は第２センサ部である。
【００２１】
第１センサ部２において、２１はインターホン親機４０の送信部４３と信号線Ｌ２を介して接続された受信部であり、２２はインターホン親機４０の受信部４４と電源兼信号線Ｌ３を介して接続され、第１センサ部２の各部に電源を供給する送信部である。２３は第１センサ部２全体を制御する制御部であり、２４はコイルであり、２５はコイル２４両端間の電圧を検出する電圧検出部である。２６はコイル２４両端間への電源供給を制御する常時は開の切換スイッチである。
【００２２】
第２センサ部３において、３２は第２センサ部３の各部に電源を供給する内部電池であり、３３は第２センサ部３全体を制御する制御部であり、３４はコイルであり、３５はコイル３４両端間の電圧を検出する電圧検出部である。３６はコイル３４両端間への電源供給を制御する常時は開の切換スイッチである。
【００２３】
この防犯センサ１は、窓Ｗが閉まっていない状態を初期状態として、２つのセンサ部２、３間の距離が初期状態から変化したことを検出可能な距離変化検出機能を有しており、その検出原理としては、警戒設定時に、少なくとも一方のコイルに常時電源を供給しておくことで、第１センサ部２と第２センサ部３の距離が変化したときに、少なくとも他方のコイルに起電力が発生して、そのコイル両端間の電圧が変化することを利用したものである。
【００２４】
距離変化検出機能の動作としては、第２センサ部３においては、切換スイッチ３６を閉じた状態で、コイル３４に内部電池３２から電源を供給し、また、第１センサ部２においては、切換スイッチ２６を開いた状態で、電圧検出部２５によってコイル２４の両端間の電圧を検出し、その検出電圧を制御部２３で監視する。コイル２４の両端間の電圧は常時は無電圧であるが、侵入者によって窓Ｗが動かされて第１センサ部２と第２センサ部３の距離が変化すると、コイル２４に起電力が発生するため、電圧検出部２５によって有電圧が検出される。そのため、制御部２３はその検出電圧の変化を検知して侵入者ありと判断する。このように、防犯センサ１は、従来の防犯センサのように窓Ｗの閉じた状態と開いた状態とを区別して検出するものではないため、警戒設定時の初期状態に、窓Ｗを開いた状態としても、侵入者を検知することができる。なお、第１センサ部２は、切換スイッチ２６を閉じた状態としても、コイル２４に発生した起電力によるコイル両端間の電圧の変化を検出できる。
【００２５】
さらに、防犯センサ１は、警戒設定時の初期状態に、第１センサ部２と第２センサ部３の距離が離れすぎていると、第１センサ部２と第２センサ部３の距離が変化しても、コイル２４に起電力が発生しない場合があるため、警戒設定時の初期状態に、第１センサ部２と第２センサ部３間の距離が検出可能距離範囲内にあるか否かを確認する確認機能を有している（詳細は後述する）。
【００２６】
次に、本実施例の動作について説明する。住居人は、外出する際に防犯モードを警戒設定するが、ペットの在室により住戸内を換気したい場合は、窓Ｗを開けた状態で、防犯セットスイッチ４１をオン操作する。制御部４２は、防犯セットスイッチ４１からの警戒設定入力を受信して警戒設定要求を出力し、送信部４３は、制御部４２からの警戒設定要求を受信して防犯センサ１の第１センサ部２へ出力する。
【００２７】
防犯センサ１は、第１センサ部２の受信部２１が警戒設定要求を入力し、制御部２３に出力する。制御部２３は警戒設定要求を受信すると、まず、第１センサ部２と第２センサ部３間の距離が検出可能距離範囲内にあるか否かを確認する確認機能を動作させる。
【００２８】
ここで、この確認機能について説明すると、その検出原理としては、一方のコイルへの供給電源を変化させたときに、２つのセンサ部２、３間の距離が検出距離範囲内にある場合は、他方のコイルに起電力が発生することを利用したものである。
【００２９】
確認機能の動作としては、最初に、制御部２３は、切換スイッチ２６を一定期間の間、所定周期で開閉するように切換制御し、コイル２４に所定のパルス波を供給する。その後、切換スイッチ２６を開いた初期状態に戻す。
【００３０】
このとき、第２センサ部３は、切換スイッチ３６が開いた初期状態である。そして、第１センサ部２と第２センサ部３間の距離が検出可能距離範囲内にある場合は、コイル３４に起電力が発生するため、電圧検出部３５によって有電圧が検出される。制御部３３は電圧検出部３５による検出電圧を監視し、無電圧から有電圧への検出電圧の変化が検出されれば、第１センサ部２に対して、検出可能距離範囲内であることを知らせる応答動作を行う。
【００３１】
応答動作としては、第１センサ部２の動作と同様に、切換スイッチ３６を一定期間の間、所定周期で開閉するように切換制御し、コイル３４に所定のパルス波を供給する。その後、切換スイッチ３６を閉じた状態に維持して、警戒設定に備える。なお、第１センサ部２と第２センサ部３間の距離が検出可能距離範囲内にない場合は、コイル３４に起電力が発生しないので、第１センサ部２に対する応答動作は行われない。
【００３２】
第１センサ部２においては、第２センサ部３によって応答動作が行われれば、コイル２４に起電力が発生する。制御部２３は電圧検出部２５による検出電圧を監視し、無電圧から有電圧への検出電圧の変化を検出すると、第１センサ部２と第２センサ部３間の距離が検出可能距離範囲内にあると判別し、送信部２２から警戒設定完了信号を出力する。また、制御部２３は検出電圧が無電圧のままであれば、第１センサ部２と第２センサ部３間の距離が検出可能距離範囲内にないと判別し、送信部２２から警戒設定未完了信号を出力する。
【００３３】
警戒設定状態になった防犯センサ１は、第２センサ部３においては、切換スイッチ３６が閉じられているため、コイル３４に内部電池３２からの電源が供給されている。また、第１センサ部２においては、切換スイッチ２６が開いた状態であり、電圧検出部２５によって検出されるコイル２４の両端間の電圧を制御部２３が監視している。そして、侵入者によって窓Ｗが動かされて第１センサ部２と第２センサ部３の距離が変化すると、コイル２４に起電力が発生して、電圧検出部２５による検出電圧が無電圧から有電圧に変化し、制御部２３は侵入者ありと検知し、送信部２２から異常発報信号を出力する。
【００３４】
インターホン親機４０においては、受信部４４が異常発報信号及び警戒設定完了信号、警戒設定未完了信号を受信すると、その旨を制御部４２へ出力し、制御部４２は表示部４５にその旨を示す表示データを出力して、表示部４５はその旨を表示する。また、制御部４２は通話回路４６にその旨を示す音声データを出力して、通話回路４６はその旨を内部のスピーカから発音する。さらに、制御部４２は切換スイッチ４７に対して、通話呼出線Ｌ１と通話回路４６とを切換接続する切換命令を出力し、これによって、ドアホン子機５０の通話回路５１は通話回路４６と同様の音声を内部のスピーカから発音する。それ以外に、異常発報信号においては、制御部４２は、移報部４９を制御して、住居人の携帯電話や管理会社などにその旨を移報する。このような動作が行われるため、住居人に無事に警戒設定されたか否かを報知でき、また、侵入者を検知したことを報知できる。
【００３５】
なお、警戒設定が未完了であった場合は、住居人は、防犯セットスイッチ４１をオフ操作して警戒設定を解除した後、第１センサ部２と第２センサ部３の距離を狭めてから、再度、防犯セットスイッチ４１を操作して警戒設定入力を行うようにする。
【００３６】
防犯モードの警戒設定の解除においては、制御部４２は、防犯セットスイッチ４１からの警戒設定解除入力を受信して警戒設定解除要求を出力し、送信部４３は、制御部４２からの警戒設定解除要求を受信して防犯センサ１の第１センサ部２へ出力する。
【００３７】
そして、防犯センサ１は、第１センサ部２の受信部２１が警戒設定解除要求を入力して制御部２３に出力し、制御部２３は警戒設定解除要求を受信すると、前記した確認機能と同様な動作を行い、第１センサ部２及び第２センサ部３を初期状態に戻す。
【００３８】
つまり、制御部２３は、切換スイッチ２６を一定期間の間、所定周期で開閉するように切換制御し、コイル２４に所定のパルス波を供給する。その後、切換スイッチ２６を開いた初期状態に戻す。そして、第２センサ部３は、コイル３４に起電力が発生して、電圧検出部３５による検出電圧の変化が検出されて、制御部３３によって、切換スイッチ３６を開いた初期状態に戻す。
【００３９】
これに引き続いて、第２センサ部３が前記確認動作と同様の応答動作を行い（切換スイッチ３６は開いた初期状態に戻す）、また、その応答を検出した第１センサ部２が警戒設定解除完了信号をインターホン親機４０に出力し、これによって、インターホン親機４０が、その旨を表示部４５に表示し、通話回路４６の内部のスピーカから発音し、さらに、ドアホン子機５０の通話回路５１のスピーカから発音する。
【００４０】
前記した異常発報信号及び警戒設定完了信号、警戒設定未完了信号、警戒設定解除完了信号は、インターホン親機４０によってそれぞれ区別して判別可能な信号形態となっており、例えば、異常発報信号はハイ信号、警戒設定完了信号は２つのパルス波からなる信号、警戒設定未完了信号は４つのパルス波からなる信号、警戒設定解除完了信号はその他形態の信号、となるように、制御部２３が送信部２２の接点制御を行っている。
【００４１】
上記実施例において、防犯センサ１は、距離変化検出機能及び確認機能の動作時におけるコイル２４、３４での起電力の発生を電圧変化によって検出したが、電流変化によって検出してもよい。その場合は、コイル２４、３４に直列に電流検出部を設ければよい。
【００４２】
上記実施例において、警戒設定入力を行う防犯セットスイッチ４１をインターホン親機４０に設けるようにしたが、住戸玄関近傍の戸外やインターホン子機５０に設けるようにしてもよい。その場合は、防犯セットスイッチ４１と同様の機能を有するその他の部材、例えば、防犯セット専用キーや、住戸玄関の住戸ドアの外鍵施錠に連動して警戒設定入力を行う外鍵施錠センサとして、住居人以外の不特定の人によって操作できないようにする。
【００４３】
上記実施例において、第１センサ部２における受信部２１と送信部２２を一体化した送受信部とし、インターホン親機４０における受信部４４と送信部４３を一体化した送受信部とし、これら２つの送受信部間で各種信号（入出力）の送受信を行うようにしてもよい。それによって、防犯センサ１とインターホン親機４０との間は、１ペアの配線（電源兼信号線）で接続することができるので、リニューアルに際して防犯センサ１及びインターホン親機４０を用いるときに、従来の配線をそのまま利用することができ、新たに配線を配設する必要がない。
【００４４】
この発明に利用される防犯センサ１は、窓枠ＷＦと窓Ｗ又はドア枠とドアに分離配置された２つのセンサ部２、３によって、該２つのセンサ部２、３間の距離が変化したことを検出して異常発報する防犯センサ１であって、前記窓Ｗ又はドアが閉まっていない状態を初期状態として、前記２つのセンサ部２、３間の距離が前記初期状態から変化したことを検出可能な距離変化検出手段（内部電池３２、コイル３４、コイル２４、電圧検出部２５、制御部２３）と、該距離変化検出手段によって前記２つのセンサ部２、３間の距離が前記初期状態から変化したことが検出されたときに、異常発報信号を出力する異常発報信号出力手段（送信部２２）とを備えたので、窓又は扉が閉まっていない初期状態から、窓又はドアが移動したことを検出可能として、侵入者を検知することができる。
【００４５】
また、警戒設定要求を受けたときに、前記２つのセンサ部２、３間の距離が前記距離変化検出手段の検出可能距離範囲内にあるか否かを確認する確認手段（制御部２３、切換スイッチ２６、電圧検出部２５、コイル２４、コイル３４、電圧検出部３５、切換スイッチ３６、制御部３３、内部電池３２）を備えたので、窓又はドアが移動したことを検出可能であるかを事前に確認することができる。
【００４６】
そして、前記確認手段によって前記２つのセンサ部２、３間の距離が前記距離変化検出手段の検出可能距離範囲内にあると確認されたときに警戒設定完了信号を出力し、また、前記確認手段によって前記２つのセンサ部２、３間の距離が前記距離変化検出手段の検出可能距離範囲内にないと確認されたときに警戒設定未完了信号を出力する警戒設定完了／未完了出力手段（送信部２２）とを備えたので、無事に警戒設定されたか否かを報知することができる。
【００４７】
また、前記した防犯センサ１に接続された防犯機能付インターホン装置４０であって、警戒設定入力手段としての防犯セットスイッチ４１からの警戒設定入力を受信して前記防犯センサ１に警戒設定要求を出力する警戒設定手段（制御部４２、送信部４３）と、前記異常発報信号及び警戒設定完了／未完了信号を入力する信号入力手段（受信部４４）とを備えるので、窓又は扉が閉まっていない初期状態でも防犯モードに警戒設定することができ、住戸内を換気しながら、侵入者を検知することができる。さらに、住居人に無事に警戒設定されたか否かを報知でき、また、侵入者を検知したことを報知できる。
【図面の簡単な説明】
【００４８】
【図１】本発明の一実施例である防犯機能付きインターホンシステムを示す図である。
【図２】図１の防犯機能付きインターホンシステムの概略ブロック図を示す図である。
【符号の説明】
【００４９】
１  防犯センサ、２  第１センサ部、３  第２センサ部、２１  受信部、２２  送信部、２３  制御部、２４  コイル、２５  電圧検出部、２６  切換スイッチ、３２  内部電池、３３  制御部、３４  コイル、３５  電圧検出部、３６  切換スイッチ、４０  インターホン親機、４１  防犯セットスイッチ、４２  制御部、４３  送信部、４４  受信部、４５  表示部、４６  通話回路、４７  切換スイッチ、４８  呼出検出回路、４９  移報部、５０  インターホン子機、５１  通話回路、５２  呼出ボタン、Ｌ１  通話呼出線、Ｌ２  信号線、Ｌ３  電源兼信号線、Ｗ  窓、ＷＦ  窓枠
【図１】
2006285379.tif 000003
【図２】
2006285379.tif 000004